(57)【要約】【課題】第１始動口入賞を契機とした特別図柄抽選の小当たりに伴う可動片の第１開放動作と、第２始動口入賞を契機とした特別図柄抽選の小当たりに伴う可動片の第２開放動作とを連続させることができる弾球遊技機を提供すること。【解決手段】第１特別図柄抽選が先行の第１，第２特別図柄抽選の重複小当たり時、第１特別図柄抽選の図柄変動時間は「ta2‐ta1」から「ta2’-ta1」に短縮、つまり、第１小当たり図柄変動の停止時点（第１開放動作の開始時点）が単独小当たりの場合の時点ta2から第２小当たり図柄変動の開始時点tb1に一致する時点ta2’に変更される。また、第２特別図柄抽選の図柄変動時間は「tb2-tb1」から「tb2’-tb1」に短縮、つまり、第２小当たり図柄変動の停止時点（第２開放動作の開始時点）が単独小当たりの場合の時点tb2から第１開放動作の終了時点ta3’に一致する時点tb2’に変更される。【選択図】図４
2009201583.tif 000002
【特許請求の範囲】
【請求項１】
可動片により開閉される導入口から内部に遊技球を導入するようになっていてその内部に当たり口を有するセンター役物装置と、遊技球の入賞を契機に、大当たりおよび小当たりを含む第１特別図柄抽選を行うための第１始動口と、遊技球の入賞を契機に、大当たりおよび小当たりを含む第２特別図柄抽選を行うための第２始動口と、前記第１始動口への遊技球の入賞を契機に前記第１特別図柄抽選の図柄変動を開始し、前記第１特別図柄抽選の結果に応じた停止図柄を表示する第１図柄表示装置と、前記第２始動口への遊技球の入賞を契機に前記第２特別図柄抽選の図柄変動を開始し、前記第２特別図柄抽選の結果に応じた停止図柄を表示する第２図柄表示装置とを備えていて、
前記第１特別図柄抽選の結果である小当たりを示す図柄変動が停止したときに前記可動片が所定の第１開放動作を行い、前記第２特別図柄抽選の結果である小当たりを示す図柄変動が停止したときに前記可動片が所定の第２開放動作を行うように設定されているとともに、
前記第１特別図柄抽選の結果が小当たりであるときの図柄変動時間と、前記第２特別図柄抽選の結果が小当たりであるときの図柄変動時間とを変更可能な図柄変動時間変更手段を備えていて、
前記第１，第２特別図柄抽選の一方の図柄変動中に他方の図柄変動が開始され、かつ、前記第１，第２特別図柄抽選のどちらの結果も小当たりである場合に、前記図柄変動時間変更手段が前記第１，第２特別図柄抽選の少なくとも一方の図柄変動時間を変更することによって、前記第１，第２開放動作の一方の終了直後に他方が開始されるように設定されていることを特徴とする弾球遊技機。
【請求項２】
請求項１に記載の発明において、
前記図柄変動時間変更手段が前記第１，第２特別図柄抽選の両方の図柄変動時間を短縮することによって、前記第１，第２開放動作の一方の終了直後に他方が開始されるように設定されていることを特徴とする弾球遊技機。
【請求項３】
請求項１に記載の発明において、
前記図柄変動時間変更手段が前記第１，第２特別図柄抽選の一方の図柄変動時間を延長することによって、前記第１，第２開放動作の一方の終了直後に他方が開始されるように設定されていることを特徴とする弾球遊技機。
【発明の詳細な説明】
【技術分野】
【０００１】
本発明は、始動口入賞を契機として行われる特別図柄抽選の結果が小当たりの場合、センター役物装置の導入口を開閉する可動片に、その導入口を開放する動作を行わせる弾球遊技機に関する。
【背景技術】
【０００２】
従来、パチンコ機に代表される弾球遊技機の種類には、可動片（いわゆる羽根）により開閉される導入口から遊技球を導入するようになっていて内部に当たり口を有するセンター役物装置を備えた、羽根物といわれるものがある。この種の弾球遊技機では、センター役物装置の下方に、遊技球の入賞を契機に大当たりと小当たりを含む抽選を行うための第１，第２始動口が設けられている。
【０００３】
第１始動口への遊技球の入賞（以下「第１始動口入賞」という）のときには、可動片が所定の第１開放動作を行う。第２始動口への遊技球の入賞（以下「第２始動口入賞」という）」のときには、可動片が所定の第２開放動作を行う。第１開放動作と第２開放動作とでは、可動片の開閉回数、および、開閉１回あたりの導入口の開放時間の少なくとも一方が異なって設定されるのが一般的である。例えば、第１開放動作は開閉を１回行うとともにその１回の開閉で導入口を所定時間だけ開放することに設定され、第２開放動作は開閉を数回行うとともに開閉毎に第１開放動作よりも長い所定時間だけ導入口を開放することに設定される。
【０００４】
この種の弾球遊技機としては特許文献１に開示されたものがある。
【特許文献１】特開２００６−１９７９８２号公報
【発明の開示】
【発明が解決しようとする課題】
【０００５】
ところで、弾球遊技機の種類には、前述の特許文献１に開示されたような第１，第２始動口に加えて、これらの第１，第２始動口への遊技球の入賞を契機に大当たり、小当たりおよび外れのいずれか１を決定する抽選として特別図柄抽選を行うものがある。そして、第１始動口入賞を契機とした特別図柄抽選の結果が小当たりであったときに可動片が第１開放動作を行うようになっていて、第２始動口入賞を契機とした特別図柄抽選の結果が小当たりであったときに可動片が第２開放動作を行うようになっている。
【０００６】
前記特別図柄抽選の図柄変動は、規則上、保留玉の消化に係る図柄変動の場合を除いて、始動入賞直後に開始されなければならない。このため、第１始動口入賞に伴う特別図柄抽選の図柄変動中に第２始動口入賞があった場合には、その第２始動口入賞は無効にされるか、保留玉として記憶されることになる。第２始動口入賞の無効は、遊技者の技量を無視することであり、遊技者にとってのおもしろみを低下させるため、第２始動口入賞を無効にするよりは保留玉として記憶する方が好ましい。第２始動口入賞を保留玉として記憶した場合、第１始動口入賞に係る第１開放動作の終了から保留玉の消化に係る第２開放動作の開始までの間に、保留玉の消化に係る特別図柄抽選の図柄変動の時間だけ間が空く。このように第１開放動作と第２開放動作との間に時間的な間があると、この時間的な間がない場合よりも導入口に遊技球が入りにくい。したがって、遊技者にとってのおもしろみを向上させるには、その時間的な間がない、つまり、第１，第２開放動作が連続することが好ましい。
【０００７】
本発明は前述の事情を考慮してなされたものであり、その目的は、可動片により開閉される導入口から遊技球を導入するセンター役物装置を備えた弾球遊技機であって、第１始動口入賞を契機とした特別図柄抽選の小当たりに伴う可動片の第１開放動作と、第２始動口入賞を契機とした特別図柄抽選の小当たりに伴う可動片の第２開放動作とを連続させることができる弾球遊技機を提供することにある。
【課題を解決するための手段】
【０００８】
前述の目的を達成するために、本発明の弾球遊技機は次のように構成されている。
【０００９】
〔１〕本発明の弾球遊技機は、可動片により開閉される導入口から内部に遊技球を導入するようになっていてその内部に当たり口を有するセンター役物装置と、遊技球の入賞を契機に、大当たりおよび小当たりを含む第１特別図柄抽選を行うための第１始動口と、遊技球の入賞を契機に、大当たりおよび小当たりを含む第２特別図柄抽選を行うための第２始動口と、前記第１始動口への遊技球の入賞を契機に前記第１特別図柄抽選の図柄変動を開始し、前記第１特別図柄抽選の結果に応じた停止図柄を表示する第１図柄表示装置と、前記第２始動口への遊技球の入賞を契機に前記第２特別図柄抽選の図柄変動を開始し、前記第２特別図柄抽選の結果に応じた停止図柄を表示する第２図柄表示装置とを備えていて、前記第１特別図柄抽選の結果である小当たりを示す図柄変動が停止したときに前記可動片が所定の第１開放動作を行い、前記第２特別図柄抽選の結果である小当たりを示す図柄変動が停止したときに前記可動片が所定の第２開放動作を行うように設定されているとともに、前記第１特別図柄抽選の結果が小当たりであるときの図柄変動時間と、前記第２特別図柄抽選の結果が小当たりであるときの図柄変動時間とを変更可能な図柄変動時間変更手段を備えていて、前記第１，第２特別図柄抽選の一方の図柄変動中に他方の図柄変動が開始され、かつ、前記第１，第２特別図柄抽選のどちらの結果も小当たりである場合に、前記図柄変動時間変更手段が前記第１，第２特別図柄抽選の少なくとも一方の図柄変動時間を変更することによって、前記第１，第２開放動作の一方の終了直後に他方が開始されるように設定されていることを特徴とする。
【００１０】
このように構成された本発明の弾球遊技機では、第１，第２特別図柄抽選の一方の図柄変動中に他方の図柄変動が開始され、かつ、第１，第２特別図柄抽選のどちらの結果も小当たりである場合に、図柄変動時間変更手段が第１，第２特別図柄抽選の少なくとも一方の図柄変動時間を変更することによって、第１，第２開放動作の一方の終了直後に他方が開始されるように設定されている。これにより、第１始動口入賞を契機とした第１特別図柄抽選の小当たりに伴う可動片の第１開放動作と、第２始動口入賞を契機とした第２特別図柄抽選の小当たりに伴う可動片の第２開放動作とを連続させることができる。
【００１１】
〔２〕本発明の弾球遊技機は、「〔１〕」に記載の弾球遊技機において、前記図柄変動時間変更手段が前記第１，第２特別図柄抽選の両方の図柄変動時間を短縮することによって、前記第１，第２開放動作の一方の終了直後に他方が開始されるように設定されていることを特徴とするものであってもよい。
【００１２】
〔３〕本発明の弾球遊技機は、「〔１〕」に記載の弾球遊技機において、前記図柄変動時間変更手段が前記第１，第２特別図柄抽選の一方の図柄変動時間を延長することによって、前記第１，第２開放動作の一方の終了直後に他方が開始されるように設定されていることを特徴とものであってもよい。
【発明の効果】
【００１３】
本発明によれば、前述のように、第１始動口入賞を契機とした特別図柄抽選の小当たりに伴う可動片の第１開放動作と、第２始動口入賞を契機とした特別図柄抽選の小当たりに伴う可動片の第２開放動作とを連続させることができるので、第１，第２始動口入賞の連続入賞を狙うことに関して遊技者にとってのおもしろみを向上させることができる。
【発明を実施するための最良の形態】
【００１４】
本発明の一実施形態に係る弾球遊技機について図を用いて説明する。
【００１５】
図１は本発明の一実施形態に係る弾球遊技機の外観を示す斜視図である。図２は図１に示した弾球遊技機に備えられた遊技盤の前面図である。図３は図１に示した弾球遊技機の制御系の一部を示すブロック図である。
【００１６】
図１に示すように、本実施形態に係る弾球遊技機１は、遊技場の島設備に設置される外枠２と、この外枠２に取り付けられたガラス扉３と、このガラス扉３の下方に設けられていて遊技球の受け皿５、遊技球の発射ハンドル６等が一体化された一体皿ユニット４とを備えている。外枠２の内側には遊技機本体（図示しない）が嵌め込まれていて、この遊技機本体に遊技盤７（図２に示す）が保持されている。この遊技盤７の前面はガラス扉３により覆われていて、ガラス扉３を通じて目視可能になっている。
【００１７】
図２に示すように、遊技盤７は、その外縁を形成している枠部８を有する。この枠部８の内側に遊技領域９が形成されている。遊技領域９のほぼ中央には、センター役物装置１０が設けられている。このセンター役物装置１０は、可動片１１により開閉される導入口１２から内部に遊技球を導入するようになっている。可動片１１は、遊技盤７の盤面に沿って回動することで、導入口１２を開閉するようになっている。図２において、実線で示す可動片１１の状態が導入口１２を閉鎖した状態であり、２点差線で示す可動片１１の状態が導入口１２を開放した状態である。また、センター役物装置１０の内部には、遊技者に有利な遊技状態である当たり状態への移行の契機となる入賞口である当たり口１３（いわゆるＶ入賞口）と、その当たり状態への移行の契機とならない外れ口１４と、遊技球を当たり口１３および外れ口１４のどちらかに振り分ける振分装置１５とが設けられている。
【００１８】
前記当たり状態は、所定時間（例えば約１秒間）だけ導入口１２を開放する可動片１１の開閉が連続する状態である。この当たり状態では、間に導入口１２を通過した遊技球の数が１０個に達すること、および、可動片１１の連続開閉回数が１８回に達することが、１ラウンドとしてカウントされる。ラウンドが所定の上限回数だけ連続したとき、および、ラウンド中に遊技球が１つも当たり口に入賞しなかったときに、当たり状態は終了する。当たり状態のラウンドの上限回数は例えば７回に設定されている。
【００１９】
また、センター役物装置１０の向って左下方には、第１始動口１６が設けられている。この第１始動口１６は、遊技球の入賞を契機に、大当たり、小当たりおよび外れのいずれか１を決定する第１特別図柄抽選を行うための入賞口である。センター役物装置１０の真下には第２始動口１７が設けられている。この第２始動口１７は、遊技球の入賞を契機に、大当たり、小当たりおよび外れのいずれか１を決定する第２特別図柄抽選を行うための入賞口である。
【００２０】
第１特別図柄抽選の大当たりは、いわゆる直撃大当たりであり、遊技者に有利な遊技状態であって前記当たり状態とは別の状態である第１大当たり状態に移行することである。この第１大当たり状態も、所定時間（例えば約１秒間）だけ導入口１２を開放する可動片１１の開閉が連続する状態である。この第１大当たり状態でも、導入口１２を通過した遊技球の数が１０個に達すること、および、可動片１１の連続開閉回数が１８回に達することが、１ラウンドとしてカウントされる。ラウンドが所定の上限回数だけ連続したとき、および、ラウンド中に遊技球が１つも当たり口に入賞しなかったときに、第１大当たり状態は終了する。第１大当たり状態のラウンドの上限回数は、例えば前記当たり状態よりも多く１５回数に設定されている。
【００２１】
第２特別図柄抽選の大当たりも、いわゆる直撃大当たりであり、遊技者に有利な遊技状態として前記当たり状態とは別の状態である第２大当たり状態のことである。この第２大当たり状態も、所定時間（例えば約１秒間）だけ導入口１２を開放する可動片１１の開閉が連続する状態である。この第２大当たり状態でも、導入口１２を通過した遊技球の数が１０個に達すること、および、可動片１１の連続開閉回数が１８回に達することが、１ラウンドとしてカウントされる。このラウンドが所定の上限回数だけ連続したとき、および、ラウンド中に遊技球が１つも当たり口に入賞しなかったときに、第２大当たり状態は終了する。第２大当たり状態のラウンドの上限回数も、例えば１５回に設定されている。
【００２２】
第１特別図柄抽選の小当たりとは、可動片１１が所定の第１開放動作を行う第１小当たり状態に移行することをいう。第２特別図柄抽選の小当たりとは、可動片１１が所定の第２開放動作を行う第２小当たり状態に移行することをいう。第１開放動作と第２開放動作は、可動片１１の開閉回数、および、開閉１回あたりの導入口１２の開放時間の少なくとも一方が異なって設定されるのが一般的である。本実施形態では、第１開放動作は開閉を１回行うとともにその１回の開閉で導入口１２を約１秒間だけ開放することに設定されていて、第２開放動作は開閉を２回連続して行うとともに開閉毎に導入口１２を約１秒間だけ開放することに設定されている。
【００２３】
図３に示すように、第１始動口１６、第２始動口１７および当たり口１３のそれぞれには入賞を検知するセンサ、すなわち、第１始動入賞検知センサ１６ａ、第２始動入賞検知センサ１７ａおよびＶ入賞検知センサ１３ａがそれぞれ設けられている。また、導入口１２には、遊技球の通過を検知する導入検知センサ１２ａが設けられている。これら第１始動入賞検知センサ１６ａ、第２始動入賞検知センサ１７ａ、Ｖ入賞検知センサ１３ａ、導入検知センサ１２ａのすべての検知信号は、制御装置１８に入力される。この制御装置１８はＣＰＵ、ＲＯＭ、ＲＡＭおよび周波数発生回路等を有し、第１特別図柄表示装置１９、第２特別図柄表示装置２０、可動片駆動装置２１、第１保留玉数表示装置２２、第２保留玉数表示装置２３、ラウンド数表示装置２４を制御するものである。
【００２４】
第１特別図柄表示装置１９は、第１始動口１６への遊技球の入賞を契機に第１特別図柄抽選の図柄変動を開始し、その第１特別図柄抽選の結果に応じた停止図柄を表示するものである。第２特別図柄表示装置２０は、第２始動口への遊技球の入賞を契機に前記第２特別図柄抽選の図柄変動を開始し、第２特別図柄抽選の結果に応じた停止図柄を表示するものである。第１特別図柄変動は、遊技領域９の左端に設けられた第１特図表示窓１９ａを通じて目視可能になっている。第２特別図柄変動は、遊技領域９の右端に設けられた第２特図表示窓２０ａを通じて目視可能になっている。第１，第２特図表示窓１９ａ，２０ａの前面は遊技盤７の盤面と同一平面を形成するように配置されていて、これにより第１，第２特図表示窓１９ａ，２０ａが遊技領域９内での遊技球の挙動を邪魔しないようになっている。
【００２５】
制御装置１８は、第１始動入賞検知センサ１６ａからの検知信号の入力を契機に、大当たり、小当たり、外れのいずれか１を決定する第１特別図柄抽選（乱数抽選）を行う第１特別図柄抽選手段として機能するよう設定されている。また、制御装置１８は、第２始動入賞検知センサ１７ａからの検知信号の入力を契機に、大当たり、小当たり、外れのいずれか１を決定する第２特別図柄抽選（乱数抽選）を行う第２特別図柄抽選手段として機能するよう設定されている。また、制御装置１８は、第１特別図柄抽選の結果に応じた第１特別図柄変動、すなわち、大当たり図柄変動、小当たり図柄変動および外れ図柄変動のいずれか１を、第１特別図柄表示装置１９に指令する第１特別図柄変動制御手段として機能するよう設定されている。また、制御装置１８は、第２特別図柄抽選の結果に応じた第２特別図柄変動、すなわち、大当たり図柄変動、小当たり図柄変動および外れ図柄変動のいずれか１を、第２特別図柄表示装置２０に指令する第２特別図柄変動制御手段として機能するよう設定されている。
【００２６】
可動片駆動装置２１は可動片１１を駆動するものであり、電気信号により制御可能な電動アクチュエータ、例えばソレノイドを動力源としている。制御装置１８は、前記当たり状態、前記第１大当たり状態、前記第２大当たり状態、前記第１小当たり状態および前記第２小当たり状態のそれぞれ対応した動作を可動片１１に行わせる可動片制御手段として機能するよう設定されている。
【００２７】
第１保留玉数表示装置２２は、第１特図表示窓１９ａの下方に左右方向に並んで設けられた４つの第１保留玉数表示ランプ２２ａを有する。第２保留玉数表示装置２３は、第２特図表示窓２０ａの下方に左右方向に並んで設けられた４つの第２保留玉数表示ランプ２３ａから構成されている。第１，第２始動入賞のどちらについても保留玉数の上限は４個である。
【００２８】
制御装置１８は第１始動口入賞の保留玉数と同じ数の第１保留玉数表示ランプ２２ａが点灯するように第１保留玉数表示装置２２を制御する第１保留玉数表示制御手段として機能する。制御装置１８は第２始動口入賞の保留玉数と同じ数の第２保留玉数表示ランプ２３ａが点灯するように第２保留玉数表示装置２３を制御する第２保留玉数表示制御手段として機能する。なお、第１，第２始動口入賞は、前記大当たり状態、前記第１大当たり状態および前記第２大当たり状態において保留玉として制御装置１８に記憶される。そして、その大当たり状態、第１大当たり状態または第２大当たり状態が終了して通常の遊技状態に戻った後に、第１特別図柄抽選や第２特別図柄抽選が行われて保留玉が消化される。
【００２９】
ラウンド数表示装置２４は、前記当たり状態、前記第１大当たり状態および前記第２大当たり状態のラウンド数を数字で表示するものである。図２に示すように、このラウンド数表示装置２４により表示されるラウンド数は、センター役物装置１０の上部に設けられたラウンド数表示窓２４ａを通じて視認可能になっている。
【００３０】
特に本実施形態においては、制御装置１８は、第１特別図柄抽選の結果が小当であるときの図柄変動時間と、第２特別図柄抽選の結果が小当たりであるときの図柄変動時間とを変更可能な図柄変動時間変更手段として機能するように設定されている。そして、第１，第２特別図柄抽選の一方の図柄変動中に他方の図柄変動が開始され、かつ、第１，第２特別図柄抽選のどちらの結果も小当たりである、すなわち重複小当たりである場合に、図柄変動時間変更手段が第１，第２特別図柄抽選の図柄変動時間を変更することによって、第１，第２開放動作の一方の終了直後に他方が開始されるように設定されている。
【００３１】
図柄変動時間変更手段による第１，第２図柄変動時間の変更は、図４，５に示すようにして行われる。図４は第１，第２特別図柄抽選がこの順番で行われてどちらの抽選結果も小当たりである場合における第１，第２特別図柄の変動および第１，第２開放動作の一例を示すタイムチャートである。図５は第１，第２特別図柄抽選がこの順番とは逆の順番で行われてどちらの抽選結果も小当たりである場合における第１，第２特別図柄の変動および第１，第２開放動作の一例を示すタイムチャートである。
【００３２】
第１特別図柄抽選の結果が小当たりとなった後、この小当たりを示す第１特別図柄変動（以下「第１小当たり図柄変動」という）中に第２特別図柄抽選の結果が小当たりとならなかった場合、すなわち、図４（ａ）に示す第１特別図柄抽選の単独小当たりの場合には、第１小当たり図柄変動の開始時点がｔａ１となり、第１小当たり図柄変動の停止時点（第１開放動作の開始時点）がｔａ２となり、第１開放動作終了時点がｔａ３となる。第１特別図柄抽選の単独小当たり時の図柄変動時間「ｔａ２−ｔａ１」は、例えば１０秒に設定されている。また、第２特別図柄抽選の結果が小当たりとなった後、この小当たりを示す第２特別図柄変動（以下「第２小当たり図柄変動」という）中に第１特別図柄抽選の小当たりに当選しなかった場合、すなわち、図４（ｂ）に示す第２特別図柄抽選の単独小当たりの場合には、第２小当たり図柄変動の開始時点がｔｂ１となり、第２小当たり図柄変動の終了時点（第２開放動作の開始時点）がｔｂ２となり、第２開放動作の終了時点がｔｂ３となる。第２特別図柄抽選の単独小当たり時の図柄変動時間「ｔｂ２−ｔｂ１」は、例えば第１特別図柄抽選の単独小当たり時の図柄変動時間「ｔａ２−ｔａ１」よりも短く、２秒に設定されている。
【００３３】
第１特別図柄抽選が第２特別図柄抽選よりも先行し、どちらの抽選結果も小当たりである重複小当たりの場合には、図４（ａ）に示すように、先行した第１特別図柄抽選の図柄変動時間が「ｔａ２−ｔａ１」から「ｔａ２’−ｔａ１」に短縮される、つまり、第１小当たり図柄変動の停止時点（第１開放動作の開始時点）が、第１特別図柄抽選の単独小当たり時の場合の時点ｔａ２から、第２小当たり図柄変動の開始時点ｔｂ１に一致する時点ｔａ２’に変更される。さらに、図４（ｂ）に示すように、後行した第２特別図柄抽選の図柄変動時間が「ｔｂ２−ｔｂ１」から「ｔｂ２’−ｔｂ１」に短縮される、つまり、第２小当たり図柄変動の停止時点（第２開放動作の開始時点）が、第２特別図柄抽選の単独小当たり時の場合の時点ｔｂ２から、第１開放動作の終了時点ｔａ３’に一致する時点ｔｂ２’に変更される。このように第１，第２特別図柄抽選の図柄変動時間が短縮されることによって、第１開放動作の直後に第２開放動作が行われることになる。
【００３４】
第２特別図柄抽選が第１特別図柄抽選よりも先行し、どちらの抽選結果も小当たりである重複小当たりの場合には、図５（ｂ）に示すように、先行した第２特別図柄抽選の図柄変動時間が「ｔｂ２−ｔｂ１」から「ｔｂ２”−ｔｂ１」に短縮される、つまり、第２小当たり図柄変動の停止時点（第２開放動作の開始時点）が、第２特別図柄抽選の単独小当たり時の場合の時点ｔｂ２から、第１小当たり図柄変動の開始時点ｔａ１に一致する時点ｔａ２’に変更される。さらに、図５（ａ）に示すように、後行した第１特別図柄抽選の図柄変動時間が「ｔａ２−ｔａ１」から「ｔａ２”−ｔａ１」に短縮される、つまり、第１小当たり図柄変動の停止時点（第１開放動作の開始時点）が、第１特別図柄抽選の単独小当たり時の場合の時点ｔａ２から、第２開放動作の終了時点ｔｂ３”に一致する時点ｔａ２”に変更される。このように第１，第２特別図柄抽選の図柄変動時間が短縮されることによって、第２開放動作の直後に第１開放動作が行われることになる。
【００３５】
図６は大当たり図柄変動、単独小当たり図柄変動および重複小当たり図柄変動が実行される際の制御装置での処理の流れを示すフローチャートである。
【００３６】
この図６に示すように、制御装置１８は、第１，第２特別図柄抽選のどちらか一方を実行し、大当たり、小当たり、外れのいずれか１を決定する（Ｓ１→Ｓ２）。制御装置１８は一方の特別図柄抽選の結果が大当たりであった場合、大当たり図柄変動を、第１，第２特別図柄表示装置１９，２０のうちのその大当たりに対応する特別図柄表示装置に指令する（Ｓ２→Ｓ３→ＥＮＤ）。また、制御装置１８は一方の特別図柄抽選の結果が外れであった場合、外れ図柄変動を、第１，第２特別図柄表示装置１９，２０のうちのその外れに対応する特別図柄表示装置に指令する（Ｓ２→Ｓ４→ＥＮＤ）。
【００３７】
制御装置１８は、一方の特別図柄抽選の結果が小当たりであって他方の特別図柄の小当たり図柄変動中でない場合、すなわち、一方の特別図柄抽選の単独小当たりである場合、一方の特別図柄抽選の小当たり図柄変動を、第１，第２特別図柄表示装置１９，２０のうちの、その小当たりに対応する一方の特別図柄表示装置に指令する（Ｓ２→Ｓ５→Ｓ６→ＥＮＤ）。
【００３８】
制御装置１８は、一方の特別図柄抽選の結果が小当たりであって他方の特別図柄の小当たり図柄変動中である場合、すなわち、重複小当たりである場合、重複小当たり図柄変動を第１，第２特別図柄表示装置１９，２０のそれぞれに指令する（Ｓ２→Ｓ５→Ｓ８→ＥＮＤ）。これにより、前述した図４または図５に示すように短縮された図柄変動時間で第１，第２小当たり図柄変動が行われる。
【００３９】
第１，第２始動口入賞の両方の保留玉を記憶していて、それらの消化に伴う第１，第２特別図柄抽選の結果がすべて小当たりである場合の第１，第２特別図柄変動および第１，第２開放動作の一例について、前述の図４〜６および図７を用いて説明する。図７は第１，第２始動口入賞のどちらの保留玉数も４つとなりそれらの消化に伴う第１または第２特別図柄抽選の結果がすべて小当たりである場合の第１，第２特別図柄変動および第１，第２開放動作のタイムチャートである。
【００４０】
制御装置１８は、第１，第２始動口入賞の両方の保留玉を記憶していて、少なくとも一方の保留玉数が２以上である場合、１つ目の保留玉の消化に係る第１特別図柄抽選と、１つ目の保留玉の消化に係る第２特別図柄抽選とを同時に行うように設定されている。
【００４１】
第１，第２特別図柄抽選が同時に行われる場合、第１，第２特別図柄抽選の両方を、前述の図６のＳ１における「一方」に該当するものとして、制御装置１８が図６に示す処理を行う。今回は、第１，第２特別図柄抽選のどちらの結果も小当たりとなるので、第１，第２特別図柄抽選の両方について同図６の「Ｓ２→Ｓ５→Ｓ６」の処理が行われ、図７に示すように、１つ目の保留玉（保留玉数４）の消化に係る第１，第２特別図柄変動が、時点Ｔ１において同時に開始される。
【００４２】
次に、１つ目の保留玉（保留玉数４）の消化に係る第１小当たり図柄変動中であって、１つ目の保留玉（保留玉数４）の消化に係る第２開放動作が終了する時点Ｔ２において、２つ目の保留玉（保留玉数３）の消化に係る第２小当たり図柄変動が開始されることになる。これに伴い、１つ目の保留玉（保留玉数４）の消化に係る第１小当たり図柄変動および第１開放動作と、２つ目の保留玉（保留玉数３）の消化に係る第２小当たり図柄変動および第２開放動作との関係は、図４に示す第１小当たり図柄変動が先行した重複小当たりとなる。したがって、図６のＳ１における「一方」を第１特別図柄抽選として「Ｓ１→Ｓ２→Ｓ５→Ｓ７」の処理が行われて、１つ目の保留玉（保留玉数４）の消化に係る第１特別図柄抽選の図柄変動時間が図４（ａ）に示すようにして「ｔａ２’−ｔａ１」に短縮されるとともに、２つ目の保留玉（保留玉数３）の消化に係る第２特別図柄抽選の図柄変動時間が同図４（ｂ）に示すようにして「ｔｂ２’−ｔｂ１」に短縮される。これにより、１つ目の保留玉（保留玉数４）の消化に係る第１開放動作が終了した時点Ｔ３で、２つ目の保留玉（保留玉数３）の消化に係る第２開放動作が開始される。つまり、１つ目の保留玉（保留玉数４）の消化に係る第１開放動作と、２つ目の保留玉（保留玉数３）の消化に係る第２開放動作とが、この順番で連続する。
【００４３】
前述のように２つ目の保留玉（保留玉数３）の消化に係る第２特別図柄抽選の図柄変動時間が「ｔｂ２’−ｔｂ１」に短縮されたことに伴い、前述の１つ目の保留玉（保留玉数４）の消化に係る第１開放動作の終了時点と、前述の２つ目の保留玉（保留玉数３）の消化に係る第２小当たり図柄変動の終了時点とは同じ時点Ｔ３になる。そして、この時点Ｔ３において、２つ目の保留玉（保留玉数３）の消化に係る第１小当たり図柄変動と、前述の２つ目の保留玉（保留玉数３）の消化に係る第２開放動作とが、同時に開始される。
【００４４】
前述の２つ目の保留玉（保留玉数３）の消化に係る第２開放動作の終了時点は、第２開放動作時間（約２秒）が単独小当たり時の第１特別図柄抽選の図柄変動時間（１０秒）よりも短いので、２つ目の保留玉（保留玉数３）の消化に係る第１小当たり図柄変動中の時点Ｔ４となる。この時点Ｔ４において３つ目の保留玉（保留玉数２）の消化に係る第２小当たり図柄変動が開始されるので、２つ目の保留玉（保留玉数３）の消化に係る第１小当たり図柄変動および第１開放動作と、３つ目の保留玉（保留玉数２）の消化に係る第２小当たり図柄変動および第２開放動作との関係も、図４に示す第１小当たり図柄変動が先行した重複小当たり時の関係となる。つまり、２つ目の保留玉（保留玉数３）の消化に係る第１特別図柄抽選の図柄変動時間が図４（ａ）に示すようにして「ｔａ２’−ｔａ１」に短縮されるとともに、３つ目の保留玉（保留玉数２）の消化に係る第２特別図柄抽選の図柄変動時間が同図４（ｂ）に示すようにして「ｔｂ２’−ｔｂ１」に短縮される。この結果、２つ目の保留玉（保留玉数３）の消化に係る第２開放動作が終了した時点Ｔ４において、２つ目の保留玉（保留玉数３）の消化に係る第１開放動作が開始される。つまり、２つ目の保留玉（保留玉数３）の消化に係る第２開放動作と、２つ目の保留玉（保留玉数３）の消化に係る第１開放動作とが、この順番で連続する。
【００４５】
前述のように３つ目の保留玉（保留玉数２）の消化に係る第２特別図柄抽選の図柄変動時間が「ｔｂ２’−ｔｂ１」に短縮されたことに伴い、前述の２つ目の保留玉（保留玉数３）の消化に係る第１開放動作の終了時点と、前述の３つ目の保留玉（保留玉数２）の消化に係る第２小当たり図柄変動の終了時点とは同じ時点Ｔ５になる。そして、この時点Ｔ５において、３つ目の保留玉（保留玉数２）の消化に係る第１小当たり図柄変動と、前述の３つ目の保留玉（保留玉数２）の消化に係る第２開放動作とが同時に開始される。
【００４６】
前述の３つ目の保留玉（保留玉数２）の消化に係る第２開放動作の終了時点は、第２開放動作時間（約２秒）が単独小当たり時の第１特別図柄抽選の図柄変動時間（１０秒）よりも短いので、３つ目の保留玉（保留玉数２）の消化に係る第１小当たり図柄変動中の時点Ｔ６となる。この時点Ｔ６において４つ目の保留玉（保留玉数１）の消化に係る第２小当たり図柄変動は開始されるので、３つ目の保留玉（保留玉数２）の消化に係る第１小当たり図柄変動および第１開放動作と、４つ目の保留玉（保留玉数１）の消化に係る第２小当たり図柄変動および第２開放動作との関係も、図４に示す第１小当たり図柄変動か先行した重複小当たり時の関係となる。つまり、３つ目の保留玉（保留玉数２）の消化に係る第１特別図柄抽選の図柄変動時間が図４（ａ）に示すようにして「ｔａ２’−ｔａ１」に短縮されるとともに、４つ目の保留玉（保留玉数１）の消化に係る第２特別図柄抽選の図柄変動時間が同図４（ｂ）に示すようにして「ｔｂ２’−ｔｂ１」に短縮される。この結果、３つ目の保留玉（保留玉数２）の消化に係る第２開放動作が終了した時点Ｔ６において、３つ目の保留玉（保留玉数２）の消化に係る第１開放動作が開始される。つまり、３つ目の保留玉（保留玉数２）の消化に係る第２開放動作と、３つ目の保留玉（保留玉数２）の消化に係る第１開放動作とが、この順番で連続する。
【００４７】
前述のように４つ目の保留玉（保留玉数２）の消化に係る第２特別図柄抽選の図柄変動時間が「ｔｂ２’−ｔｂ１」に短縮されたことに伴い、前述の３つ目の保留玉（保留玉数２）の消化に係る第１開放動作の終了時点と、前述の４つ目の保留玉（保留玉数１）の消化に係る第２小当たり図柄変動の終了時点とは同じ時点Ｔ７になる。この時点Ｔ７において、４つ目の保留玉（保留玉数１）の消化に係る第１小当たり図柄変動と、前述の４つ目の保留玉（保留玉数１）の消化に係る第２開放動作とが同時に開始される。
【００４８】
前述の４つ目の保留玉（保留玉数１）の消化に係る第２開放動作の終了時点は、第２開放動作時間（約２秒）が単独小当たり時の第１特別図柄抽選の図柄変動時間（１０秒）よりも短いので、４つ目の保留玉（保留玉数１）の消化に係る第１小当たり図柄変動中の時点Ｔ８となる。この時点Ｔ８において、第２始動口入賞の４つの保留玉のすべての消化が完了する。
【００４９】
また、時点Ｔ７において、４つ目の保留玉（保留玉数１）の消化に係る第１小当たり図柄変動が開始されるが、これと同時に、４つ目の保留玉（保留玉数１）の消化に係る第２小当たり図柄変動が終了するので、図６のＳ５→Ｓ６の処理が行われる。この結果、４つ目の保留玉（保留玉数１）の消化に係る第１小当たり図柄変動は単独小当たり時の図柄変動となる。つまり、４つ目の保留玉（保留玉数１）の消化に係る第１小当たり図柄変動は、３つ目の保留玉（保留玉数２）の消化に係る第１開放動作の終了時点Ｔ７から１０秒（＝ｔａ２−ｔａ１）が経過する時点Ｔ９までの間だけ行われる。そして、その時点Ｔ９において第１開放動作が開始され、その後、時点Ｔ１０で第１開放動作が終了し、第１始動口入賞の４つの保留玉のすべての消化が完了する。
【００５０】
このように、第１，第２始動口入賞のどちらの保留玉数も４つとなりそれらの消化に伴う第１または第２特別図柄抽選の結果がすべて小当たりである場合には、第１，第２開放動作が、第２開放動作、第１開放動作、第２開放動作、第１開放動作、第２開放動作、第１開放動作、第２開放動作の順番で連続して行われる、つまり、可動片１１の開閉が１１回連続して繰り返される。
【００５１】
本実施形態に係る弾球遊技機１によれば次の効果を得られる。
【００５２】
弾球遊技機１では、第１，第２特別図柄抽選の一方の図柄変動中に他方の図柄変動が開始され、かつ、第１，第２特別図柄抽選のどちらの結果も小当たりである場合に、図柄変動時間変更手段が第１，第２特別図柄抽選の両方の図柄変動時間を短縮することによって、第１，第２開放動作の一方の終了直後に他方が開始されるように設定されている。これにより、第１始動口入賞を契機とした特別図柄抽選の小当たりに伴う可動片の第１開放動作と、第２始動口入賞を契機とした特別図柄抽選の小当たりに伴う可動片の第２開放動作とを連続させることができる。この結果、第１，第２始動口入賞の連続入賞を狙うことに関して遊技者にとってのおもしろみを向上させることができる。
【００５３】
なお、前述の実施形態に係る弾球遊技機では、図柄変動時間変更手段としての制御装置１８が第１，第２特別図柄抽選の両方の図柄変動時間を短縮することによって、第１，第２開放動作の一方の終了直後に他方が開始されるように設定されている。本発明における図柄変動時間変更手段はそのような設定に限定されるものではない。次に、図柄変動時間変更手段の別の設定について図８，９を用いて説明する。図８，９は第１特別図柄抽選と第２特別図柄抽選とがこの順番で行われてどちらの抽選結果も小当たりであった場合における第１，第２特別図柄の変動および第１，第２開放動作の、図４に示した例とは別の例を示すタイムチャートである。
【００５４】
図８に示す例は、第１小当たり図柄変動の開始時点ｔａ１から８秒、すなわち「（ｔａ２−ｔａ１）−（ｔｂ２−ｔｂ１）」の経過以前に、第２小当たり図柄変動が開始される場合の例である。この場合、図８（ａ）に示すように、先行した第１特別図柄抽選の図柄変動時間は変更されず「ｔａ２−ｔａ１」のままである。一方、図８（ｂ）に示すように、後行した第２特別図柄抽選の図柄変動時間が「ｔｂ２−ｔｂ１」から「ｔｂ２’−ｔｂ１」に延長される、つまり、第２小当たり図柄変動の停止時点（第２開放動作の開始時点）が、第２特別図柄抽選の単独小当たりの場合の時点ｔｂ２から、第１開放動作の終了時点ｔａ３に一致する時点ｔｂ２’に変更される。これにより、第１，第２開放動作がこの順番で連続する。
【００５５】
図９に示す例は、第１小当たり図柄変動の開始時点ｔａ１から８秒、すなわち「（ｔａ２−ｔａ１）−（ｔｂ２−ｔａ１）」の経過後に、第２小当たり図柄変動が開始される場合の例である。この場合、図９（ｂ）に示すように、後行した第２特別図柄抽選の図柄変動時間は変更されず「ｔｂ２−ｔｂ１」のままである。一方、図９（ａ）に示すように、先行した第１特別図柄抽選の図柄変動時間が「ｔａ２−ｔａ１」から「ｔａ２’−ｔａ１」に延長される、つまり、第１小当たり図柄変動の停止時点（第１開放動作の開始時点）が、第１特別図柄抽選の単独小当たりの場合の時点ｔａ２から、第２小当たり図柄変動の開始時点ｔｂ３に一致する時点ｔａ２’に変更される。これにより、第１，第２開放動作がこの順番と逆の順番で連続する。
【００５６】
このように、図柄変動時間変更手段は、第１，第２特別図柄抽選のどちらか一方の図柄変動時間を延長することによって、第１，第２開放動作の一方の終了直後に他方が開始されるように設定されていてもよい。
【００５７】
また、前述の実施形態に係る弾球遊技機１では、第１，第２特別図柄抽選が外れを含むものであったが、本発明における第１，第２特別図柄抽選はそれに限定されるものではなく、外れを含まないものであってもよい。
【図面の簡単な説明】
【００５８】
【図１】本発明の一実施形態に係る弾球遊技機の外観を示す斜視図である。
【図２】図１に示した弾球遊技機に備えられた遊技盤の前面図である。
【図３】図１に示した弾球遊技機の制御系の一部を示すブロック図である。
【図４】第１，第２特別図柄抽選がこの順番で行われてどちらの抽選結果も小当たりである場合における第１，第２特別図柄の変動および第１，第２開放動作の一例を示すタイムチャートである。
【図５】第１，第２特別図柄抽選がこの順番とは逆の順番で行われてどちらの抽選結果も小当たりである場合における第１，第２特別図柄の変動および第１，第２開放動作の一例を示すタイムチャートである。
【図６】大当たり図柄変動、単独小当たり図柄変動および重複小当たり図柄変動が実行される際の制御装置での処理の流れを示すフローチャートである。
【図７】第１，第２始動口入賞のどちらの保留玉数も４つとなりそれらの消化に伴う第１または第２特別図柄抽選の結果がすべて小当たりである場合の第１，第２特別図柄変動および第１，第２開放動作のタイムチャートである。
【図８】第１特別図柄抽選と第２特別図柄抽選とがこの順番で行われてどちらの抽選結果も小当たりであった場合における第１，第２特別図柄の変動および第１，第２開放動作の、図４に示した例とは別の例を示すタイムチャートである。
【図９】第１特別図柄抽選と第２特別図柄抽選とがこの順番で行われてどちらの抽選結果も小当たりであった場合における第１，第２特別図柄の変動および第１，第２開放動作の、図４に示した例とは別の例を示すタイムチャートである。
【符号の説明】
【００５９】
１  弾球遊技機
２  外枠
３  ガラス扉
４  一体皿ユニット
５  受け皿
６  発射ハンドル
７  遊技盤
８  枠部
９  遊技領域
１０  センター役物装置
１１  可動片
１２  導入口
１２ａ  導入検知センサ
１３  当たり口
１３ａ  Ｖ入賞検知センサ
１４  外れ口
１５  振分装置
１６  第１始動口
１６ａ  第１始動入賞検知センサ
１７  第２始動口
１７ａ  第２始動入賞検知センサ
１８  制御装置
１９  第１特別図柄表示装置
１９ａ  第１特図表示窓
２０  第２特別図柄表示装置
２０ａ  第２特図表示窓
２１  可動片駆動装置
２２  第１保留玉数表示装置
２２ａ  第１保留玉数表示ランプ
２３  第２保留玉数表示装置
２３ａ  第２保留玉数表示ランプ
２４  ラウンド数表示装置
２４ａ  ラウンド数表示窓
【図１】
2009201583.tif 000003
【図２】
2009201583.tif 000004
【図３】
2009201583.tif 000005
【図４】
2009201583.tif 000006
【図５】
2009201583.tif 000007
【図６】
2009201583.tif 000008
【図７】
2009201583.tif 000009
【図８】
2009201583.tif 000010
【図９】
2009201583.tif 000011